(57)【要約】【課題】画像データの表示許可／表示不許可を簡単に設定し、表示不許可に設定した画像を設定者以外の者が見ることを防止する。【解決手段】再生モード時に、予めフラッシュメモリに記憶させた切換操作手順どおりに操作すると、属性変更モードに入る。液晶パネルに「再生不許可に設定しますか？」と確認メッセージが出る。コマ送り操作を行って再生不許可にしたい画像を液晶パネルに表示した後、実行ボタンを押圧操作すると、画像データに対して隠し属性が設定される。コマ送り操作を行いながら、再生不許可にしたい全ての画像データに対して隠し属性を設定した後、キャンセルボタンを押圧操作すると、属性変更モードから抜けて再生モードに戻る。デジタルカメラをクレードルにセットして再生モードにすると、非表示再生になって再生不許可にした画像データは表示されない。【選択図】　　　　図５
2004040468.tif 000002
【特許請求の範囲】
【請求項１】
撮影して得られた画像データを記憶媒体に記憶するデジタルカメラにおいて、
前記画像データを再生して表示手段に表示する再生モードと、前記画像データのファイル属性を変更可能とする属性変更モードとを有し、再生モードから属性変更モードに切り換える切換操作手順を記憶手段に記憶するとともに、前記切換操作手順どおりに操作を行うことにより属性変更モードに切り換えた後、前記記憶媒体に記憶されている任意の画像データについてファイル属性を変更することにより再生を不許可にするか否かの設定を行うことを特徴とするデジタルカメラ。
【請求項２】
ＴＶモニタ等の表示手段を接続可能な接続台に装着した状態でのみ、前記再生を不許可にする設定を有効とすることを特徴とする請求項１記載のデジタルカメラ。
【発明の詳細な説明】
【０００１】
【発明の属する技術分野】
本発明は、画像データの表示許可／表示不許可を簡単に設定できるとともに、表示不許可に設定した画像を設定者以外の者が見ることを防止するデジタルカメラに関する。
【０００２】
【従来の技術】
デジタルカメラは、撮影した画像をその場で簡単に見ることができるため、撮影の成否を容易に確認できるという優れた利点を有している。その反面、他人に見られると不都合な画像に対する秘密保持性の面で問題がある。そこで、この問題に対して種々の解決手段が提案されている。
【０００３】
例えば、メモリカード等の記憶媒体に記憶した画像データ毎の画像データアドレスのヘッダ部に表示許可／表示不許可の設定情報を付加し、任意の画像データを他人に見られないようにするデジタルカメラが提案されている（特開平９−２８４７００号公報）。このデジタルカメラでは、電源投入時に「＋」キーが押下されていれば、非表示再生モードに設定し、「−」キーが押下されていれば、通常再生モードに設定する。
【０００４】
また、ＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ　）方式で圧縮された画像データの画像ファイルに書き込まれているマーカ“ＤＨＴ”の値を書き換えることにより再生プロテクトをかけ、ＪＰＥＧ対応の汎用のソフトウェアによってアクセスされたときに画像データの再生を防止するようにしたデジタルカメラが提案されている（特開２０００−１３７２０号公報）。
【０００５】
【発明が解決しようとする課題】
上記特開平９−２８４７００号公報記載のデジタルカメラでは、電源投入時に「−」キーを押し下げていれば、通常再生モードに設定されるので、この操作方法さえ知っていれば、誰でも簡単に全ての画像を見ることができる。また、上記特開２０００−１３７２０号公報記載のデジタルカメラでは、画像データのマーカ“ＤＨＴ”を書き換えると、その都度パスワードを設定する必要があり、面倒である。
【０００６】
本発明は、画像データの表示許可／表示不許可を簡単に設定できるとともに、表示不許可に設定した画像を設定者以外の者が見ることを防止できるデジタルカメラを提供することを目的とする。
【０００７】
【課題を解決するための手段】
上記目的を達成するために、本発明のデジタルカメラは、撮影して得られた画像データを記憶媒体に記憶するデジタルカメラにおいて、前記画像データを再生して表示手段に表示する再生モードと、前記画像データのファイル属性を変更可能とする属性変更モードとを有し、再生モードから属性変更モードに切り換える切換操作手順を記憶手段に記憶するとともに、前記切換操作手順どおりに操作を行うことにより属性変更モードに切り換えた後、前記記憶媒体に記憶されている任意の画像データについてファイル属性を変更することにより再生を不許可にするか否かの設定を行うものである。また、ＴＶモニタ等の表示手段を接続可能な接続台に装着した状態でのみ、前記再生を不許可にする設定を有効とするものである。
【０００８】
【発明の実施の形態】
デジタルカメラ１とクレードル（接続台）２の外観を示す図１及び図２において、デジタルカメラ１のカメラ本体３の前面には、撮影レンズ４が組み込まれたレンズ鏡筒５、ファインダ６を構成する対物側ファインダ窓７、ストロボ発光部８、シャッタボタン９、モードダイヤル１０、タイマ撮影時に点滅して撮影タイミングを知らせるセルフタイマ用発光部１１等が設けられている。レンズ鏡筒５は、デジタルカメラ１が電源オフ状態にある際に、カメラ本体３の前面に設けられた鏡筒収納部１２内に収納され、電源オンとともにカメラ本体３の前面から突出する。
【０００９】
カメラ本体３の一方の側面には、フラッシュメモリからなるメモリカード１５がセットされるメモリカードスロット１６が設けられている。このメモリカードスロット１６の奥には、メモリカード１５に電気的に接続してデータの読み書きを行なうカードリーダが組み込まれている。メモリカードスロット１６は、塵芥の侵入等を防止するために、開閉式の保護カバー１７によって保護されている。
【００１０】
カメラ本体３の背面には、ファインダ６を構成する接眼側ファインダ窓１９，各種設定等の情報を表示するとともに撮影時にはビューファインダとして機能する液晶パネル２０，操作部２１が設けられている。操作部２１は、電源ボタン２２，スティック状カーソルキー２３，撮影−再生切換ボタン２４，キャンセルボタン２５，実行ボタン２６，表示ボタン２７，ストロボポップアップボタン２８からなる。
【００１１】
デジタルカメラ１は、スチル撮影を行なう撮影モードと、撮影画像を再生する再生モードと、パーソナルコンピュータ等の外部機器とのデータの送受信を行なう通信モードとを備えており、撮影モードと再生モードとの切り換えは、撮影−再生切換ボタン２４の押圧操作により行われ、通信モードへの切り換え及び撮影モードにおけるマクロ撮影等の各種のモード切り換えはモードダイヤル１０で行われる。
【００１２】
クレードル２は、ほぼ台形状であり、上面にカメラ本体３が載置される凹形状の載置部３１が設けられている。載置部３１内には、カメラ本体３の底面の接続コネクタ３２に嵌合して電気的に接続する接続端子３３が設けられている。クレードル２は、未使用時のデジタルカメラ１を安定して保持する台として機能するとともに、充電や外部機器との接続を介在するターミナルとしても機能する。
【００１３】
クレードル２の前面には、クレードル２に接続されたデジタルカメラ１の電源のオン／オフを操作する電源ボタン３５と、状態表示用発光部３６とが設けられている。この状態表示用発光部３６の奥には、状態表示用ＬＥＤが組み込まれており、デジタルカメラ１の状態に応じて発光する。
【００１４】
クレードル２の背面には、モニタやビデオデッキにＮＴＳＣ等のコンポジット信号を出力するＡ／Ｖ出力コネクタ３７，ＡＣ電源アダプタが接続されてＤＣ電源が供給されるＤＣ電源コネクタ３８，パーソナルコンピュータ等に接続されるＵＳＢ（Ｕｎｉｖｅｒｓａｌ　Ｓｅｒｉａｌ　Ｂｕｓ）コネクタ３９が設けられている。これらのコネクタ３７〜３９は、クレードル２内部で接続端子３３に接続されている。
【００１５】
図３は、デジタルカメラ１とクレードル２との電気的構成を示すブロック図である。詳しくは図示しないが、レンズ鏡筒５には、焦点調整を行なうフォーカス用モータと、ズーミングを行なうズーム用モータとが組み込まれている。これらのモータは、デジタルカメラ１全体を制御するＣＰＵ４５に接続されたモータドライバ４６によって駆動制御される。また、レンズ鏡筒５内には、絞り兼用のシャッタユニットが組み込まれており、このシャッタユニットもＣＰＵ４５によって制御される。
【００１６】
レンズ鏡筒５の背後には、撮影レンズ４を透過した被写体光が撮像されるＣＣＤ４８が配置されている。このＣＣＤ４８には、ＣＰＵ４５によって制御されるタイミングジェネレータ５０からタイミング信号（クロック信号）が入力される。ＣＣＤ４８から出力された信号は、相関二重サンプリング回路（ＣＤＳ）５１に入力され、ＣＣＤ４８の各セルの蓄積電荷量に正確に対応したＲ、Ｇ、Ｂの画像データとして出力される。ＣＤＳ５１から出力された画像データは、増幅器（ＡＭＰ）５２で増幅され、Ａ／Ｄ変換器５３でデジタルデータに変換される。
【００１７】
画像入力コントローラ５５は、データバス５６を介してＣＰＵ４５に接続されており、ＣＰＵ４５の命令によってＣＣＤ４８，ＣＤＳ５１，ＡＭＰ５２，Ａ／Ｄ変換器５３を制御する。また、Ａ／Ｄ変換器５３から出力された画像データをビデオメモリ５７、あるいはバッファメモリ５８に書き込む。
【００１８】
ビデオメモリ５７は、液晶パネル２０をビューファインダとして使用する際に、解像度の低い画像データが一時的に記録される。ビデオメモリ５７に記録された画像データは、データバス５６を介してＬＣＤドライバ６０に送られ、液晶パネル２０に表示される。バッファメモリ５８は、撮像された高解像度の画像データが一時的に記録される。このバッファメモリ５８から読み出された画像データは、圧縮処理回路６５によってＪＰＥＧ方式で圧縮された後、メディアコントローラ６１によって駆動制御されるカードリーダ６２によりメモリカード１５に記録される。
【００１９】
画像信号処理回路６３は、撮像された高解像度の画像データがバッファメモリ５８内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００２０】
データバス５６には、ＣＰＵ４５に制御されてパーソナルコンピュータとのデータ通信を行なうパソコン用通信回路６７が接続されている。このパソコン用通信回路６７は、カメラ本体３の底面の接続コネクタ３２に接続されている。この接続コネクタ３２と接続端子３３との接続によって、クレードル２のＵＳＢコネクタ３９がパソコン用通信回路６７に接続されることになる。また、パソコン用通信回路６７は、デジタルカメラ１に電源が投入されている状態では、接続コネクタ３２と接続端子３３との接続を常時監視しており、この接続状態をＣＰＵ４５に知らせる。
【００２１】
また、データバス５６には、Ａ／Ｖ出力回路６９が接続されている。このＡ／Ｖ出力回路６９は、接続コネクタ３２と接続端子３３とを介してＡ／Ｖ出力コネクタ３７に接続される。Ａ／Ｖ出力回路６９は、画像データをＮＴＳＣ等のコンポジット信号に変換し、Ａ／Ｖ出力コネクタ３７に接続されたＴＶモニタやビデオレコーダに出力する。
【００２２】
クレードル２には、充電回路７１が組み込まれている。この充電回路７１は、ＤＣ電源入力コネクタ３８と、接続端子３３とに接続されている。クレードル２にデジタルカメラ１が載置されると、接続コネクタ３２と接続端子３３とを介してデジタルカメラ１内のバッテリ３０に充電回路７１が接続される。充電回路７１は、バッテリ３０の電圧を測定し、測定電圧が規定電圧以下であった場合に自動的に充電を行なう。
【００２３】
ＣＰＵ４５には、前記シャッタボタン９，操作部２１の他、撮影モードや再生モード，画像データのファイル属性を変更可能とする属性変更モード等のシーケンスプログラムを記憶したＲＯＭ７２と、再生モードから属性変更モードへの切換操作手順等を記憶するフラッシュメモリ７３が接続されている。
【００２４】
次に、上記実施形態の作用について図４〜図１０を参照して説明する。なお、本実施形態では、通常の撮影の際には、従来と同様の一連のシーケンスで画像が記録されるので、その説明は省略する。撮影された画像データは、ＪＰＥＧ方式で圧縮されてメモリカード１５に記憶される。このメモリカード１５に記憶された画像データは、デフォルトではファイル属性が非隠し属性の設定になっているため、再生モードにすれば、液晶パネル２０もしくはクレードルを介してＴＶモニタにすべて表示可能である。そこで、メモリカード１５に記憶された画像データのうち表示したくない画像データがある場合には、この画像データについてファイル属性を変更して表示不許可の設定を行う。なお、「隠し属性」は、ＭＳ−ＤＯＳ（登録商標）におけるファイル属性であり、周知である。
【００２５】
表示不許可の設定を行う前に、図４に示すように、切換操作手順の登録を行う。まず、撮影済みのメモリカード１５を装着した状態で撮影−再生切換ボタン２４を押圧して再生モードに入る。スティック状カーソルキー２３の上部２３ａを押圧すると、「属性変更モードへの切換操作手順を登録しますか？」と液晶パネル２０に表示される。登録する場合には、実行ボタン２６を押圧する。この押圧操作を行わずにそのまま例えば３秒経過するか、キャンセルボタン２５を押圧すると、通常の再生モードに戻る。
【００２６】
登録するために実行ボタン２６を押圧すると、「スティック状カーソルキーの下部押下操作に続いて４つの押下操作をして下さい」と液晶パネル２０に表示されるから、スティック状カーソルキー２３の下部２３ｂを押圧した後、続いてスティック状カーソルキー２３の上部２３ａ，下部２３ｂ，左部２３ｃ，右部２３ｄを任意の順序で押圧操作する。
【００２７】
例えば、上部２３ａから右回りに右部２３ｄ→下部２３ｂ→左部２３ｃの順序で連続的に押圧操作する。この操作手順がフラッシュメモリ７３に正常に記憶されると、液晶パネル２０に「切換操作手順が登録されました」と表示が出た後、再生モードに戻る。操作のタイミングが遅すぎたり速すぎたり等、何らかの原因により操作が正常に記憶されなかった場合には、再び「スティック状カーソルキーの下部押下操作に続いて４つの押下操作をして下さい」と液晶パネル２０に表示されるから、前記操作をやり直す。
【００２８】
図５に示すように、再生モード時に、前記切換操作手順どおりに操作を行うと、「属性変更モードに切り換えますか？」の表示が液晶パネル２０に表示された後、実行ボタン２６を押圧すると、属性変更モードに入る。実行ボタン２６を押圧しないでそのまま所定時間，例えば３秒経過するか、キャンセルボタン２５を押圧すると、通常の再生モードに戻る（図６参照）。
【００２９】
属性変更モードに入ると、画像データのデフォルトのファイル属性は非隠し属性であるから、ファイル属性の変更操作を行っていない通常の状態では、液晶パネル２０の例えば画面下部に「再生不許可に設定しますか？」と確認のメッセージが出る。実行ボタン２６を押圧操作すると、液晶パネル２０に表示されている画像の画像データのファイル属性が非隠し属性から隠し属性に変更される。
【００３０】
スティック状カーソルキー２３の左部２３ｃ，右部２３ｄを押圧操作してコマ送りしながら、再生不許可に設定したいすべての画像データに対して非隠し属性から隠し属性への変更を行った後、キャンセルボタン２５を押圧操作すると、属性変更モードから抜けて再生モードに戻る。
【００３１】
一旦、再生不許可に設定した画像データを再生許可に設定し直したい場合には、カセット本体３をクレードル２に装着していない状態で（クレードル２に装着していると、再生不許可に設定した画像データは再生されないため）属性変更モードに入り、再生不許可に設定した画像を再生する。図７に示すように、この再生時に液晶パネル２０の画面下部に「再生許可に設定しますか？」と確認のメッセージが出るから、実行ボタン２６を押圧操作すれば、その画像データのファイル属性が隠し属性から非隠し属性に変更される。
【００３２】
図１及び図２に示すように、カメラ本体３の下部をクレードル２の載置部３１内に挿入すると、接続コネクタ３２と接続端子３３とが嵌合し、デジタルカメラ１とクレードル２とが電気的に接続される。Ａ／Ｖ出力コネクタ３７とＴＶモニタの入力コネクタとをＡＶケーブルで接続し、デジタルカメラ１の撮影−再生切換ボタン２４で再生モードにセットすると、図８及び図９に示すように、非表示再生モードになり、メモリカード１５からファイル属性が非隠し属性になっている画像データのみが読み出され、Ａ／Ｖ出力回路６９が作動してコンポジット信号をＴＶモニタに出力する。したがって、予め再生不許可に設定されていた画像データは、ＴＶモニタに表示されない。
【００３３】
すなわち、再生モードにセットしてコマ送りを行うと、再生不許可に設定したコマは、スキップされて表示されず、また、サムネイル表示でも全く撮影していないかのように表示されない（空白表示にもならない）。また、カメラ本体をクレードル２に装着することなく、再生モードにセットすると、図８及び図１０に示すように、通常再生モードになる。この通常再生モードでは、画像データのファイル属性が無視され、全ての画像データが再生される。
【００３４】
ＤＣ電源入力コネクタ３８にＡＣ電源アダプタが接続されている場合、充電回路７１はバッテリ３０の電圧を検出し、電圧が低下している場合には自動的にバッテリ３０への充電を開始する。また、クレードル２のＵＳＢコネクタ３９と、パーソナルコンピュータのＵＳＢコネクタとの間をＵＳＢケーブルで接続し、デジタルカメラ１の操作部２１を操作して通信モードにセットすると、パソコン用通信回路６７が作動してデジタルカメラ１とパーソナルコンピュータとの間で画像データの送受信を行なうことができる。
【００３５】
以上説明した実施形態では、デジタルカメラ単体では、再生不許可に設定した画像データも表示される通常再生モードになり、デジタルカメラをクレードルに装着した時のみ再生許可に設定した画像データだけが表示される非表示再生モードになるようにしたが、デジタルカメラ単体でも非表示再生モードになるように設定してもよい。この場合、一旦再生不許可に設定した画像データはデジタルカメラ単体でも表示されなくなるため、全ての画像データを表示したい場合には、属性変更モードに切り換える。この属性変更モードでは、再生不許可に設定した画像データも再生されるからである。
【００３６】
また、上記実施形態では、切換操作手順をスティック状カーソルキーの上部から右回りに右部→下部→左部の順序で連続的に押圧操作するものとしたが、本発明はこれに限定されることなく、例えばスティック状カーソルキーの右部から左回りに上部→左部→下部でもよく、また左部→下部→上部→右部でもよい。
【００３７】
【発明の効果】
以上のように、本発明のデジタルカメラによれば、記憶しておいた切換操作手順どおりに操作を行うことにより属性変更モードに切り換えた後、任意の画像データについてファイル属性を変更することにより再生を不許可にするか否かの設定を行うので、画像データの表示許可／表示不許可を簡単に設定できるとともに、表示不許可に設定した画像を設定者以外の者が見ることを防止できる。また、ＴＶモニタ等の表示手段を接続可能な接続台に装着した状態でのみ、再生不許可の設定を有効とするので、個人での観賞には何ら制限を設けることなく、ＴＶモニタ等に表示して不特定多数の人に見せる場合には、見せたくない画像を再生しないようにできる。
【図面の簡単な説明】
【図１】デジタルカメラとクレードルの正面側概観斜視図である。
【図２】デジタルカメラとクレードルの背面側概観斜視図である。
【図３】デジタルカメラの電気的構成の概略を示すブロック図である。
【図４】属性変更モードへの切換操作手順の登録シーケンスを示すフローチャートである。
【図５】画像データのファイル属性を変更する手順を示すフローチャートである。
【図６】図５の一部を示すフローチャートである。
【図７】図５の一部をなす再生不許可に設定されている画像データについての処理を示すフローチャートである。
【図８】デジタルカメラをクレードルにセットした場合の再生モードを示すフローチャートである。
【図９】非表示再生モードにおけるシーケンスを示すフローチャートである。
【図１０】通常再生モードにおけるシーケンスを示すフローチャートである。
【符号の説明】
１　デジタルカメラ
２　クレードル
１５　メモリカード
２０　液晶パネル
２３　スティック状カーソルキー
２４　撮影−再生切換ボタン
２５　キャンセルボタン
２６　実行ボタン
４５　ＣＰＵ
７３　フラッシュメモリ
【図１】
2004040468.tif 000003
【図２】
2004040468.tif 000004
【図３】
2004040468.tif 000005
【図４】
2004040468.tif 000006
【図５】
2004040468.tif 000007
【図６】
2004040468.tif 000008
【図７】
2004040468.tif 000009
【図８】
2004040468.tif 000010
【図９】
2004040468.tif 000011
【図１０】
2004040468.tif 000012